(57)【特許請求の範囲】
【請求項１】
傾斜地盤に埋め込まれ、前記地盤内の水を下方に案内する案内通路の層と、
この案内通路の層に隣接すると共に、前記傾斜地盤に埋め込まれ、水を通さないシートの層と、
前記シートの層は、前記案内通路の層より前記傾斜地盤の外表面に近い側に位置し、
前記案内通路の層と前記シートの層は、単一の構成体を隣接して形成されるものであり、
前記単一の構成体は、複数の石を詰める開口部を有すると共に、前記複数の石を詰めた通水性の籠又はネットの収納体と、この収納体の前記開口部を塞ぐように設けられた蓋の機能を有する防水部材とを備えている
ことを特徴とする傾斜地盤構造。
【請求項２】
隣接する一方の単一の構成体の防水部材と隣接する他方の単一の構成体の防水部材との繋ぎ目を覆うと共に、前記隣接する単一の構成体を連結するように設けられた連結部材を備えている
ことを特徴とする請求項１記載の傾斜地盤構造。
【請求項３】
案内通路の層とシートの層は、傾斜地盤の傾斜面の形状に沿うように傾斜して設けられ、
前記シートの層は、前記案内通路の層より、傾斜地盤の外表面に近い側に位置している
ことを特徴とする請求項１又は２記載の傾斜地盤構造。
【請求項４】
複数の石を詰める開口部を有すると共に、前記複数の石を詰めた通水性の籠又はネットの収納体と、
この収納体の前記開口部を塞ぐように設けられた蓋の機能を有する防水部材とを備えている
ことを特徴とする土木用構成体。
【請求項５】
防水部材に収納体から前記防水部材に向かう液体の流れを阻止し、前記防水部材から前記収納体に向かう液体の流れを許容する逆止弁の機能を備えている
ことを特徴とする請求項４記載の土木用構成体。
【請求項６】
防水部材と収納体との間に設けられ、前記収納体の石より外形形状が小さい粒状体を収納する粒状体収納室と、前記防水部材に設けられ、前記粒状体収納室に向かって末広がりに形成された連通孔とを備え、
前記収納体から前記防水部材に向かう液体の流れによって、前記連通孔に前記粒状体が当接して前記液体の流れを阻止し、前記防水部材から前記収納体に向かう液体の流れによって前記連通孔に当接した前記粒状体が離間して前記液体の流れを許容する
ことを特徴とする請求項５記載の土木用構成体。
【発明の詳細な説明】
【技術分野】
【０００１】
本発明は、傾斜地盤構造及び土木用構成体に係り、特に、複数の石を詰める開口部を有する収納体の蓋に防水機能を備えた傾斜地盤構造及び土木用構成体に関する。
【背景技術】
【０００２】
従来、傾斜地盤構造にあっては、傾斜地盤の土砂等が流出するのを防ぐために、例えば、法面防水シートを使用している（例えば、特許文献１参照）。
この法面防水シートにより、傾斜地盤の土砂等が流出するのを防ぐことができるが、逆に、傾斜地盤内の排水が悪く、傾斜地盤の崩壊を助長するという問題点が生じた。
【特許文献１】実開平３−８９７２７号公報
【発明の開示】
【発明が解決しようとする課題】
【０００３】
本発明は、前記した問題点を除去するようにした傾斜地盤構造及び土木用構成体を提供することを目的としている。
【課題を解決するための手段】
【０００４】
前記した目的を達成するための請求項１記載の傾斜地盤構造は、傾斜地盤に埋め込まれ、前記地盤内の水を下方に案内する案内通路の層と、この案内通路の層に隣接すると共に、前記傾斜地盤に埋め込まれ、水を通さないシートの層と、前記シートの層は、前記案内通路の層より前記傾斜地盤の外表面に近い側に位置し、前記案内通路の層と前記シートの層は、単一の構成体を隣接して形成されるものであり、前記単一の構成体は、複数の石を詰める開口部を有すると共に、前記複数の石を詰めた通水性の籠又はネットの収納体と、この収納体の前記開口部を塞ぐように設けられた蓋の機能を有する防水部材とを備えているものである。
【０００６】
また、請求項２記載の傾斜地盤構造は、請求項１記載の傾斜地盤構造において、隣接する一方の単一の構成体の防水部材と隣接する他方の単一の構成体の防水部材との繋ぎ目を覆うと共に、前記隣接する単一の構成体を連結するように設けられた連結部材を備えているものである。
【０００７】
また、請求項３記載の傾斜地盤構造は、請求項１又は２記載の傾斜地盤構造において、案内通路の層とシートの層は、傾斜地盤の傾斜面の形状に沿うように傾斜して設けられ、前記シートの層は、前記案内通路の層より、傾斜地盤の外表面に近い側に位置しているものである。
【０００８】
また、請求項４記載の土木用構成体は、複数の石を詰める開口部を有すると共に、前記複数の石を詰めた通水性の籠又はネットの収納体と、この収納体の前記開口部を塞ぐように設けられた蓋の機能を有する防水部材とを備えているものである。
【０００９】
また、請求項５記載の土木用構成体は、請求項４記載の土木用構成体において、防水部材に収納体から前記防水部材に向かう液体の流れを阻止し、前記防水部材から前記収納体に向かう液体の流れを許容する逆止弁の機能を備えているものである。
【００１０】
また、請求項６記載の土木用構成体は、請求項５記載の土木用構成体において、防水部材と収納体との間に設けられ、前記収納体の石より外形形状が小さい粒状体を収納する粒状体収納室と、前記防水部材に設けられ、前記粒状体収納室に向かって末広がりに形成された連通孔とを備え、前記収納体から前記防水部材に向かう液体の流れによって、前記連通孔に前記粒状体が当接して前記液体の流れを阻止し、前記防水部材から前記収納体に向かう液体の流れによって前記連通孔に当接した前記粒状体が離間して前記液体の流れを許容するものである。
【発明の効果】
【００１２】
請求項１記載の傾斜地盤構造によれば、案内通路の層とシートの層は、単一の構成体を隣接して形成されるものであるため、埋め込まれる傾斜地盤内の形状に柔軟に対応でき、施工も容易であり、しかも、単一の構成体の「収納体の複数の石」は、傾斜地盤内の土砂を含んだ水の抵抗となって、前記土砂の流出を防ぐことができる。
【００１３】
また、請求項２記載の傾斜地盤構造によれば、前述の請求項１記載の発明の効果に加え、隣接する単一の構成体の繋ぎ目を覆うと共に、前記隣接する単一の構成体を連結する連結部材を設けているため、連結部材が隣接する単一の構成体の繋ぎ目からの水の流出を防ぎ、且つ、隣接する単一の構成体の連結状態をも保持することができる。
【００１４】
また、請求項３記載の傾斜地盤構造によれば、前述の請求項１又は２記載の発明の効果に加え、単一の構成体を階段状に段積みしたものに比較し、単一の構成体を傾斜地盤に効率良く埋め込むことができる。
【００１５】
また、請求項４記載の土木用構成体によれば、収納体の開口部を塞ぐ蓋に防水部材で形成するため、単一の構成体を隣接することにより案内通路の層と防水の機能を有するシートの層とを容易に形成することができる。
【００１６】
また、請求項５記載の土木用構成体によれば、防水部材に収納体から前記防水部材に向かう液体の流れを阻止し、前記防水部材から前記収納体に向かう液体の流れを許容する逆止弁の機能を備えているため、例えば、海底地盤上に防水部材が上になるように単一の構成体を隣接して配置し、前記防水部材の上に消波ブロックを配置した場合、収納体から防水部材に向かう液体の流れは、逆止弁の機能により、ある程度阻止され、海底地盤の砂が収納体から防水部材を介して土木用構成体から流出するのを防ぐことができ、また、防水部材から収納体に向かう液体の流れを許容して、防水部材の上の消波ブロックに作用する力を軽減することができる。
【発明を実施するための最良の形態】
【００１７】
本発明の一実施例の傾斜地盤構造及び土木用構成体を図面を参照して説明する。
図１乃至図５において、Ａは傾斜地盤で、傾斜地盤Ａは、例えば、切取り・盛り土などでできた人工的な斜面である法面である。
１は、傾斜地盤Ａに埋め込まれ、地盤内の水を下方に案内する案内通路の層で、案内通路の層１の下端１ａは、外気に臨んでいる。
２は、傾斜地盤Ａに埋め込まれ、水を通さないシートの層で、このシートの層２は、案内通路の層１に隣接している。
シートの層２は、図１に示すように、案内通路の層１より傾斜地盤Ａの外表面Ａ１に近い側に位置している。
【００１８】
この案内通路の層１とシートの層２は、例えば、図４及び図５に示すように、単一の構成体１０を隣接して形成されるものである。
この単一の構成体１０は、複数の石１０ａを詰める開口部１０ｂを有すると共に、複数の石１０ａを詰めた通水性の籠（又はネット）の収納体１０ｃと、この収納体１０ｃの開口部１０ｂを塞ぐように設けられた蓋の機能を有する防水部材１０ｄとを備えている。収納体１０ｃは、金属製が望ましいが、合成樹脂で成形されたネットでも良い。
単一の構成体（土木用構成体）１０を、例えば、図３に示すように、隣接して形成することにより、上面に蓋の機能を有する防水部材１０ｄが敷き詰められることによりシートの層２が、このシートの層２の下に案内通路の層１が、それぞれ形成されることとなる。
なお、図１に示す３は土で、土３に植物の根を張らせ、該土３の崩壊を防ぐようにしている。
【００１９】
従って、上述した傾斜地盤構造によれば、傾斜地盤Ａ内の土砂を含んだ水は、案内通路の層１を超えて傾斜地盤Ａの表面から流出するのをシートの層２で遮断するため、傾斜地盤Ａ内の土砂を含んだ水の流出を防ぐことができ、しかも、傾斜地盤Ａ内の水は、シートの層２で水の流れを阻止されるため、該シートの層２が障壁となって案内通路の層１を介して下方に案内されて、案内通路の層１の下端１ａより、排水される。
特に、案内通路の層１とシートの層２は、単一の構成体１０を隣接して形成されるものであるため、埋め込まれる傾斜地盤Ａ内の形状に柔軟に対応でき、施工も容易であり、しかも、単一の構成体１０の「収納体の複数の石１０ａ」は、傾斜地盤Ａ内の土砂を含んだ水の抵抗となって、前記土砂の流出を防ぐことができる。
また、図１に示すように、案内通路の層１とシートの層２は、傾斜地盤Ａの傾斜面の形状に沿うように傾斜して敷き詰めるように設けられ（図３参照）、シートの層２は、案内通路の層１より、傾斜地盤Ａの外表面Ａ１に近い側に位置している。そのため、単一の構成体１０を階段状に段積みしたものに比較し、単一の構成体１０を傾斜地盤Aに効率良く埋め込むことができる。
【００２０】
また、図６に示すように、隣接する一方の単一の構成体１０の防水部材１０ｄと隣接する他方の単一の構成体１０の防水部材１０ｄとの繋ぎ目を連結部材２０で覆うと共に、前記した隣接する単一の構成体１０を連結するようにしても良い。
連結部材２０は、例えば、帯状の部材の裏面に面状ファスナーの一方を取り付け、防水部材１０ｄの隣接する単一の構成体１０の繋ぎ目の近くに面状ファスナーの他方を取り付け、一方の面状ファスナーと他方の面状ファスナーを係止させるようにする。
その結果、連結部材２０が隣接する単一の構成体１０の繋ぎ目からの水の流出を防ぎ、且つ、隣接する単一の構成体１０の連結状態をも保持することができる。
【００２１】
上述した単一の構成体１０を隣接して形成されたものを、図７に示す海底地盤Bに適用することができる。
即ち、単一の構成体（土木用構成体）１０は、図８に示すように、複数の石１０ａを詰める開口部１０ｂ（図４参照）を有すると共に、複数の石１０ａを詰めた通水性の籠（又はネット）の収納体１０ｃと、この収納体１０ｃの開口部１０ｂを塞ぐように設けられた蓋の機能を有する防水部材１０ｄとを備えている。
海底地盤B上に防水部材１０ｄが上になるように単一の構成体（土木用構成体）１０を隣接して配置し、防水部材１０ｄの上に消波ブロック３０を配置する（図７参照）。
図９乃至図１１に示すように、単一の構成体（土木用構成体）１０の防水部材１０ｄに収納体１０ｃから防水部材１０ｄに向かう液体の流れを阻止（図１０参照）し、防水部材１０ｄから収納体１０ｃに向かう液体の流れを許容（図１１参照）する逆止弁の機能を備えているため、例えば、海底地盤B上に防水部材１０ｄが上になるように単一の構成体（土木用構成体）１０を隣接して配置し、防水部材１０ｄの上に消波ブロック３０を配置した場合、収納体１０ｃから防水部材１０ｄに向かう液体の流れは、逆止弁の機能により、ある程度[ある程度とは、例えば、７〜９割程度、例えば、９割の場合、収納体１０ｃから防水部材１０ｄに向かう液体の流れが９０％を超えて阻止されると、揚力が発生し、単一の構成体（土木用構成体）１０が浮き上がる不具合が生じる。この不具合をなくすために、防水部材１０ｄの一部を透水性のものに取り替えて、収納体１０ｃから消波ブロック３０に向かう液体の流れを許容するようにしても良い。防水部材１０ｄの一部を透水性のものに取り替えは、例えば、図８記載で言えば、１６個の単一の構成体（土木用構成体）１０の内、例えば、２個の単一の構成体（土木用構成体）１０の防水部材１０ｄを透水性のものに取り替える。]阻止され、海底地盤Bの砂が収納体１０ｃから防水部材１０ｄを介して単一の構成体（土木用構成体）１０から流出するのを防ぐことができ、また、防水部材１０ｄから収納体１０ｃに向かう液体の流れを許容して、防水部材１０ｄの上の消波ブロック３０に作用する力を軽減することができる。消波ブロック３０は、図７に示すテトラポットに限らず、自然石、コンクリートブロック、 三柱ブロック、ビーハイブ、六脚ブロック等であっても良い。
【００２２】
なお、本願発明にあっては、単一の構成体（土木用構成体）１０の防水部材１０ｄに収納体１０ｃから防水部材１０ｄに向かう液体の流れを阻止（図１０参照）し、防水部材１０ｄから収納体１０ｃに向かう液体の流れを許容（図１１参照）する逆止弁の機能を備えている構成のものは、図７乃至図１１に示すものに限らず、例えば、図１２乃至図１４に示すものでも良い。
即ち、１０ｅは、防水部材１０ｄと収納体１０ｃとの間に設けられた粒状体収納室で、粒状体収納室１０ｅには、収納体１０ｃに収納された石１０ａより外形形状が小さい粒状体１０ｆが収納される。
１０ｇは、収納体１０ｃと粒状体収納室１０ｅとを仕切る通水性の壁である。なお、防水部材１０ｄには、粒状体収納室１０ｅに向かって末広がりに形成された連通孔１０ｈとを備えている。
従って、図１２乃至図１４記載のものにあっても、収納体１０ｃから防水部材１０ｄに向かう液体の流れによって、連通孔１０ｈに粒状体１０ｆが当接して液体の流れを阻止（図１３参照）し、防水部材１０ｄから収納体１０ｃに向かう液体の流れによって連通孔１０ｈに当接した粒状体１０ｆが離間して液体の流れを許容（図１４参照）することができる。
【図面の簡単な説明】
【００２３】
【図１】図１は、本発明の一実施例の傾斜地盤構造の概略的断面図である。
【図２】図２は、図１の一部を拡大して示す概略的一部拡大断面図である。
【図３】図３は、図１のシートの層と案内通路の層とを単一の構成体を隣接して形成される状態を示す概略的斜視図である。
【図４】図４は、図３の単一の構成体の収納体に石が詰められる前の状態の概略的斜視図である。
【図５】図５は、図４の単一の構成体の収納体に石が詰められ、蓋が閉められた状態の概略的斜視図である。
【図６】図６は、図３の隣接する単一の構成体が連結部材により連結した状態の概略的斜視図である。
【図７】図７は、図３の単一の構成体を隣接して形成されたものを海底地盤に適用した状態の概略的断面図である。
【図８】図８（ａ）は、図７の消波ブロックの下に位置する部材の概略的斜視図であり、図８（ｂ）は、図８（ａ）の一部を構成する単一の構成体の概略的斜視図である。
【図９】図９は、図８の一部を拡大して示す概略的一部拡大平面図である。
【図１０】図１０は、図９の１０−１０線による概略的断面図であり、収納体から防水部材に向かう液体の流れを阻止している状態を示している。
【図１１】図１１は、図９の防水部材から収納体に向かう液体の流れを許容する状態の概略的断面図である。
【図１２】図１２は、図９の防水部材と異なる他の実施例の防水部材の概略的平面図である。
【図１３】図１３は、図１２の１３−１３線による概略的断面図であり、収納体から防水部材に向かう液体の流れを阻止している状態を示している。
【図１４】図１４は、図１２の防水部材から収納体に向かう液体の流れを許容する状態の概略的断面図である。
【符号の説明】
【００２４】
Ａ    …………傾斜地盤
A１   …………外表面
１    …………案内通路の層
２    …………シートの層
【図１】
0005058028.tif 000002
【図２】
0005058028.tif 000003
【図３】
0005058028.tif 000004
【図４】
0005058028.tif 000005
【図５】
0005058028.tif 000006
【図６】
0005058028.tif 000007
【図７】
0005058028.tif 000008
【図８】
0005058028.tif 000009
【図９】
0005058028.tif 000010
【図１０】
0005058028.tif 000011
【図１１】
0005058028.tif 000012
【図１２】
0005058028.tif 000013
【図１３】
0005058028.tif 000014
【図１４】
0005058028.tif 000015